(57)【要約】【課題】不透水性材料からなる板状またはシート状の複数の遮水材からなる遮水壁の継手部の確実な遮水性を確認および確保でき、かつ遮水壁設置後の運用の簡便な遮水壁管理を可能とする。【解決手段】遮水パネル１０２の雌継手１０２ｃのスリットＳ周辺と隣接する遮水パネル３００の雄継手３００ｂとの間のみに遮水剤３０１を塗布、または充填することによってのみ形成される雄雌係合空洞部１０５の漏水経路をすべて遮断し、雄雌係合空洞部１０５内に雄継手３００ｂの背面側に形成される空洞部を貯水可能な貯留部３０２とする。貯留部３０２をモニタリング用井戸５００として使用し、モニタリング用井戸５００の液位は遮水壁より囲われた保有水の液位よりもやや高くして、廃棄物貯層部５０１内の汚染水が周囲地盤１０１側に流出せずに、かつ廃棄物貯層部５０１内に流入する液体の量が少なくなるように管理する。【選択図】    図３
2005193176.tif 000002
【特許請求の範囲】
【請求項１】
不透水性材料からなる板状またはシート状等の複数の遮水材を継手部を介して水平方向に連結することにより地盤またはソイルセメント壁内に形成される遮水壁において、
前記継手部は、互いに連結される遮水材に形成される雌雄係合部を備え、該雌雄係合部を係合することによって、水などの液体を貯留可能な係合空洞部を形成しつつ、遮水性を確保することを特徴とする遮水壁。
【請求項２】
不透水性材料からなる板状またはシート状等の複数の遮水材を継手部を介して水平方向に連結することにより地盤またはソイルセメント壁内に形成される遮水壁において、前記継手部における遮水性を管理する遮水壁の遮水管理システムであって、
前記継手部は、互いに連結される遮水材に形成される雌雄係合部を備え、該雌雄係合部を係合することによって、水などの液体を貯留可能な係合空洞部を形成しつつ、遮水性を確保し、
該係合空洞部の液位を検出する液位検出手段と、
前記遮水壁により遮水された保有水の液位を検出する液位検出手段と、
該両液位検出手段がそれぞれ前記係合空洞部内の液位および前記保有水の液位を検出したときにこれを表示する表示手段と
を備えたことを特徴とする遮水壁の遮水状況管理システム。
【請求項３】
前記両液位検出手段によってそれぞれ検出された前記係合空洞部内の液位および前記保有水の液位に応じて前記係合空洞部に液体を供給する供給手段と、
前記両液位検出手段によってそれぞれ検出された前記係合空洞部内の液位および前記保有水の液位に応じて前記係合空洞部の液体もしくは前記保有水を排出する排出手段と
を備えたことを特徴とする請求項２に記載の遮水壁の遮水状況管理システム。
【請求項４】
不透水性材料からなる板状またはシート状等の複数の遮水材を継手部を介して水平方向に連結することにより地盤またはソイルセメント壁内に形成される遮水壁において、前記継手部における遮水状況を管理する遮水壁の遮水状況管理方法であって、
前記継手部は、互いに連結される遮水材に形成される雌雄係合部を備え、該雌雄係合部を係合することによって、水などの液体を貯留可能な係合空洞部を形成しつつ、遮水性を確保してなり、
該係合空洞部内の液位および遮水壁より囲われた保有水の液位をモニタリングすることにより、前記遮水壁の遮水状況を管理することを特徴とする遮水壁の遮水状況管理方法。
【発明の詳細な説明】
【技術分野】
【０００１】
本発明は、不透水性材料からなる板状またはシート状等の複数の遮水材からなる遮水壁の継手部における確実な遮水性を確認および確保でき、かつ遮水壁設置後の運用の簡便な遮水壁、遮水壁の遮水状況管理システムおよび遮水壁の遮水状況管理方法に関するものである。
【背景技術】
【０００２】
廃棄物処分場における汚染水の漏洩防止や港湾施設建設時における遮水等において鋼管矢板や遮水パネルが多く用いられている。特に、廃棄物処分場で遮水性護岸構造等に用いられる場合には、鋼管矢板、遮水パネル等の継手部を介して処分場から外部への汚染水の浸出を防止することが厳しく要求される。
【０００３】
そこで、継手部の遮水方法として、雄雌係合部内に、モルタルジャケットと呼ばれ、硬化前のモルタルが流出しない程度のメッシュからなり、表面に遮水剤料を固着した袋体を挿入したうえ、その袋体にモルタルまたはコンクリートを充填することで前記遮水材料が継手内面の鋼材と圧接して漏水経路を遮断する方法が提案されている（特許文献１を参照）。
【０００４】
また、遮水壁の遮水管理方法として、鋼管矢板、遮水パネル等の継手部内にスリット付きモニタリング用井戸を挿入して設置し、継手部内とモニタリング用井戸との間をモルタル、アスファルト混合物等の遮水剤で充填して、モニタリング用井戸内の水位、水質、濃度のいずれか一つまたは複数を管理することで不透水性地層から護岸外部への汚染水の漏出の有無を検知する遮水壁構造が提案されている（特許文献２を参照）。
【０００５】
さらに、遮水壁の遮水管理方法として、内壁と外壁とで挟まれた中空部分を有する二重構造を備えた仕切り壁を設置し、内壁の破損等により処分場内部の汚染水が漏出しても周囲の地盤に流出拡散することなく、内壁と外壁との間の中空部分に滞留させ、滞留水の水質を管理することで処分場内部から中空部分への汚染水の漏出の有無を検知する遮水壁構造が提案されている（特許文献３を参照）。
【特許文献１】特開２００２−１６７７５２
【特許文献２】特開２００１−２８８７３９
【特許文献３】特開平８−２４６４８５号公報
【発明の開示】
【発明が解決しようとする課題】
【０００６】
従来提案されてきた継手部の遮水方法は、鋼管矢板、遮水パネル等の建て込み中に雄雌係合部内に土砂が詰まるために、モルタル等の充填前に土砂を洗浄除去していた。この雄雌係合部内の洗浄作業は面倒で、かつ深い深度でのエアーリフトの効率低下により、洗浄が十分に出来ずにモルタル等を充填した袋体が着底せず、遮水性が十分に得られないという問題点があった。
【０００７】
そして、遮水剤の充填直後の継手部が多少の水を通したとしても、時間の経過に伴い、水の流れとともに雄雌係合部内に土粒子等が詰まり遮水性が向上していくものであるが、これを確認する方法が無いという問題点があった。
【０００８】
したがって、これらの場合においては、鋼管矢板、遮水パネル等の背面の地盤中に薬液を注入することで遮水性を確保することが必須であり、この補助工法の付加によりコストが増加するという問題点があった。
【０００９】
また、雄雌係合部内の遮水効果箇所は雌継手のスリットと雄継手を係合させた部分のみであり、雄雌係合部内のほとんどの遮水剤は遮水の効果を果たさず、材料の無駄が生じるという問題点があった。
【００１０】
そして、スリット付モニタリング用井戸を継手部内に設置する場合においては、スリットの作成やモニタリング用井戸の挿入といった煩雑な手間が生じること、挿入時にモニタリング用井戸が破損する可能性があること、挿入後、モニタリング中に土粒子等がスリットを詰まらせる可能性があることといった問題点があった。
【００１１】
また、継手部に使用した遮水剤の欠陥等による漏水がスリット付モニタリング用井戸を通過しない場合においては本手法では漏水を検知できないという問題点があった。
【００１２】
さらに、内壁と外壁とで挟まれた中空部分を有する二重構造を備えた仕切り壁を設置する場合においては、二重壁の製造コストが高いこと、建て込みに時間がかかり施工性が悪いことといった問題点があった。
【００１３】
本発明は、上記の問題点を鑑みてなされたものであり、その目的は、不透水性材料からなる板状またはシート状の複数の遮水材からなる遮水壁の継手部の確実な遮水性を確認および確保でき、かつ遮水壁設置後の運用の簡便な遮水壁、遮水状況管理システムおよび遮水状況管理方法を提案することである。
【課題を解決するための手段】
【００１４】
上記問題を解決する本発明の遮水壁は、不透水性材料からなる板状またはシート状等の複数の遮水材を継手部を介して水平方向に連結することにより地盤またはソイルセメント壁内に形成される遮水壁において、前記継手部は、互いに連結される遮水材に形成される雌雄係合部を備え、該雌雄係合部を係合することによって、水などの液体を貯留可能な係合空洞部を形成しつつ、遮水性を確保することを特徴とする（第１の発明）。
【００１５】
第２の発明の遮水壁の遮水状況管理システムは、不透水性材料からなる板状またはシート状等の複数の遮水材を継手部を介して水平方向に連結することにより地盤またはソイルセメント壁内に形成される遮水壁において、前記継手部における遮水性を管理する遮水壁の遮水管理システムであって、前記継手部は、互いに連結される遮水材に形成される雌雄係合部を備え、該雌雄係合部を係合することによって、水などの液体を貯留可能な係合空洞部を形成しつつ、遮水性を確保してなり、該係合空洞部の液位を検出する液位検出手段と、前記遮水壁により遮水された保有水の液位を検出する液位検出手段と、該両液位検出手段がそれぞれ前記係合空洞部内の液位および前記保有水の液位を検出したときにこれを表示する表示手段とを備えたことを特徴とする。
【００１６】
第３の発明の遮水壁の遮水状況管理システムは、第２の発明において、前記両液位検出手段によってそれぞれ検出された前記係合空洞部内の液位および前記保有水の液位に応じて前記係合空洞部に液体を供給する供給手段と、前記両液位検出手段によってそれぞれ検出された前記係合空洞部内の液位および前記保有水の液位に応じて前記係合空洞部の液体もしくは前記保有水を排出する排出手段と
を備えたことを特徴とする。
【００１７】
第４の発明の遮水壁の遮水状況管理方法は、不透水性材料からなる板状またはシート状等の複数の遮水材を継手部を介して水平方向に連結することにより地盤またはソイルセメント壁内に形成される遮水壁において、前記継手部における遮水状況を管理する遮水壁の遮水状況管理方法であって、前記継手部は、互いに連結される遮水材に形成される雌雄係合部を備え、該雌雄係合部を係合することによって、水などの液体を貯留可能な係合空洞部を形成しつつ、遮水性を確保してなり、該係合空洞部内の液位および遮水壁より囲われた保有水の液位をモニタリングすることにより、前記遮水壁の遮水状況を管理することを特徴とする。
【発明の効果】
【００１８】
不透水性材料からなる板状またはシート状等の複数の遮水材からなる遮水壁の継手部の確実な遮水性を確認および確保でき、かつ遮水壁設置後の運用の簡便な遮水壁管理が可能となる。
【発明を実施するための最良の形態】
【００１９】
以下、この発明の好ましい実施例について図面を用いて詳細に説明する。
【００２０】
図１は、本発明の第一実施例に係る廃棄物処分場の保有水を遮水する遮水壁の設置状況を示す図である。  
廃棄物処分場１００とその周囲地盤１０１との間の遮水壁として、例えば、遮水パネル１０２の列が不透水性地層１０３に至る深さまで打設されている。不透水性地層１０３の上には、透水性地層１０４が存在する。この遮水壁として用いられる遮水パネル１０２の配置方法を次に示す。
【００２１】
図２は、本発明の第一実施例に係る廃棄物処分場の遮水壁における遮水パネルの設置状況を示す平面図である。  
遮水パネル１０２は、パネル本体１０２ａと、その一方の側端部に設けられた雄継手１０２ｂと、他の側端部に設けられた断面円形状にしてその端部にスリットを有する雌継手１０２ｃとを備えてなり、隣接する遮水パネル１０２の雄継手１０２ｂと雌継手１０２ｃとが係合されることのみによって雄雌係合空洞部１０５を構築する。この雄雌係合空洞部１０５の遮水方法を次に示す。
【００２２】
図３は、図２の雄雌係合空洞部の拡大図である。遮水パネル１０２の雌継手１０２ｃのスリットＳ周辺と遮水パネル１０２と隣接する他の遮水パネル３００の雄継手３００ｂとの間のみに水膨潤性および所定の硬化遅延性を有する接着剤等の遮水剤３０１を塗布、または充填することによって、雄雌係合空洞部１０５の漏水経路をすべて遮断し、雄雌係合空洞部１０５内に雄継手３００ｂの背面側に形成される空洞部を形成し、液体が貯留可能な貯留部３０２とする。なお、遮水剤３０１は遮水性能を有するものであれば粘土、粘土モルタル、モルタル、アスファルト、コンクリート等のいずれかを選択して使用することができる。
【００２３】
このように、雌雄係合空洞部１０５は、隣接する遮水パネル１０２の雄継手１０２ｂと雌継手１０２ｃとが係合されることによってはじめて形成され、雌雄継手３００ａ，ｂ間に存する遮水剤３０１により継手部の遮水性を確保しつつ、仮に廃棄物処分場側内の汚染水が周辺地盤側へ流出する場合は当該継手部からの漏水に限られ、しかもその漏水は必ず貯留部３０２を通るといった機能を有する遮水壁を構築する。
【００２４】
なお、貯留部３０２を構成する雌雄係合空洞部１０５は、前記遮水剤３０１を雌継手１０２ｃの全断面に膨潤・充填されるよう塗布等により設け、雌雄継手１０２ｂ，ｃを係合した後、遮水剤３０１が硬化してからその一部を洗堀することにより、遮水性を確保した状態で空洞部を形成することもできる。
【００２５】
少量の遮水剤で確実に遮水するためには遮水パネルの建て込み時に継手部分に土や砂利等の異物を入れないことが必要である。そこで、遮水パネルの継手部内に異物が入るのを防ぐため、例えば雌継手１０２ｃの底部に蓋を取り付けておくことが望ましい。また、次のような保護部材を使用することもできる。
【００２６】
図４は、本発明の第一実施例に係る雌継手の底部保護部材の一例を示す、（ａ）斜視図、（ｂ）Ａ−Ａ’矢視図である。底部保護部材４００は、円筒形の操作パイプ４０１と、操作パイプ４０１内に挿通される中心棒４０２と、中心棒４０２の下端４０３ａに一端が連結され、他端４０３ｂが鉄骨４０４を介して操作パイプ４０１に連結されてなる複数の鉄板４０３が重畳して、中心棒４０２に対して操作パイプ４０１を上下移動することにより拡縮可能な先端部４０５を形成する。底部保護部材４００は、雌継手１０２ｃの底部に拡径状態で取付けられて地盤に建て込まれ、隣接する遮水パネル３００を建て込んだ後、先端部４０５を縮径することにより底部保護部材４００を回収することができる。
【００２７】
本発明において、貯留部３０２は、空洞のまま利用する方法と液体を入れて管理する方法のいずれかを選択することが可能である。  
まず、空洞のまま利用する方法は、貯留部３０２に液体を入れないので、液体を供給する装置および手間、供給後に液位を管理する装置および手間がかからないという利点がある。  
そして、液体を入れて管理する方法では、貯留部３０２に貯留可能な液体は水、泥水、ベントナイト泥水等のいずれかを選択して使用することができる。ここで、水を用いた場合における遮水状況管理システムを次に示す。
【００２８】
図５は、本発明の第一実施例に係る廃棄物処分場の保有水の遮水状況管理システムを示す、（ａ）地盤側システム図、（ｂ）廃棄物処分場側システム図である。
【００２９】
図５（ａ）に示すように、貯留部３０２を、貯留部３０２内の経時的な水位の変化にて漏水の有無を確認するためのモニタリング用井戸５００とする。すべてのモニタリング用井戸５００、および廃棄物貯層部５０１はそれぞれ水位計５０２ａ、５０２ｂを備える。
【００３０】
また、本実施例に係る遮水状況管理システムは、モニタリング用井戸５００内へ水を供給する手段として、貯水タンク５０３の水を送水する送水ポンプ５０４と、送水ポンプ５０４からモニタリング用井戸５００に水を供給するために流向を切り替える流向切替バルブ５０５と、流向切替バルブ５０５からすべてのモニタリング用井戸５００まで接続された配水管５０６と、送水量を測定する流量計５０７ａと、各モニタリング用井戸に分配された配水管５０６のすべての端部にバルブ５０８とを備える。
【００３１】
さらに、本実施例に係る遮水状況管理システムはモニタリング用井戸５００内の水を排水する手段として、モニタリング用井戸内の水を揚水し、揚水した水を排水ポンプへと導く配水管５０６、流向切替バルブ５０５（送水手段と共有する）と、流向切替バルブ５０５に接続された排水ポンプ５０９と、排水量を測定する流量計５０７ｂと、排水の水質を分析する分析装置５１０と、分析後の水を処理する排水処理施設５１１とを備える。
【００３２】
そして、図５（ｂ）に示すように、廃棄物貯層部５０１は保有水を排水する排水ポンプ５１２を備える。
【００３３】
また、水位計５０２ａ、水位計５０２ｂ、送水ポンプ５０４、流向切替バルブ５０５、流量計５０７ａ、流量計５０７ｂ、バルブ５０８、排水ポンプ５０９、管理用モニタ５１３はすべて管理室内のコンピュータ５１４に電気的ライン５１５にて接続されている。
【００３４】
そして、モニタリング用井戸５００の水位を水位計５０２ａにて検知して、あるモニタリング用井戸５００の水位が所定水位より絶対的に変化しない場合においては、遮水剤３０１が効果的に働き、このモニタリング用井戸５００内の水が漏水せず遮水効果が有ることを示す。
【００３５】
ここで、あるモニタリング用井戸５００から遮水壁継手部の水途を通って水が外に漏れた場合等、モニタリング用井戸５００の水位が所定水位より絶対的に低下するおそれがあるが、この場合においては、コンピュータ５１４からの指示により水位低下量を管理用モニタ５１３に表示させ、送水ポンプ５０４を作動して送水を開始すると同時に、流向切替バルブ５０５、およびバルブ５０８の送水のための流路を開き、このモニタリング用井戸５００に注水することにより、廃棄物貯層部５０１の汚染水を遮水壁の系外に拡散されるのを防止することができる。注水中は流量計５０７ａにより注入量と、水位計５０２ａにより水位が同時に管理されており、適宜必要量のみを注水できる。
【００３６】
さらに、モニタリング用井戸５００の水位と廃棄物貯層部５０１の水位をそれぞれ水位計５０２ａ、５０２ｂにて検知して、モニタリング用井戸５００の水位が廃棄物貯層部５０１の水位より相対的に低下した場合においては、コンピュータ５１４が両水位を管理用モニタ５１３に表示させ、水位検出結果を比較すると同時に、モニタリング用井戸５００に注水するか、もしくは廃棄物貯層部内５０１の保有水を排水するか、またはモニタリング用井戸５００内の水を排水することによって廃棄物貯層部５０１の保有水を排水するかを自動的に選択して実施することができる。廃棄物貯層部５０１の汚染水が、遮水壁継手部の水途を通ってモニタリング用井戸５００内に浸入している場合、モニタリング用井戸５００内の水を排水することにより、当該水途を介して廃棄物貯層部５０１の保有水を排水することができる。
【００３７】
また、例えば、モニタリング用井戸５００の水位よりも廃棄物貯層部５０１の水位が高くなると、廃棄物貯層部５０１内の汚染水が周囲地盤１０１側に流出し、またモニタリング用井戸５００の水位が廃棄物貯層部５０１の水位よりも高すぎると、モニタリング用井戸５００内の水が廃棄物貯層部５０１に流入する。
【００３８】
そこで、モニタリング用井戸５００の水位を廃棄物貯層部５０１の水位よりもやや高くして、廃棄物貯層部５０１内に流入する水の量が少なくなるように管理する。
【００３９】
さらに、モニタリング用井戸５００の水位を廃棄物貯層部５０１の水位より低くすることによって、廃棄物貯層部５０１の保有水を流入させて排水ポンプ等の排水手段を用いて排水する方法もある。
【００４０】
したがって、これらの機能を有することにより、保有水の管理を確実に実施することができ、また、漏水しているモニタリング用井戸を簡単に特定でき、補修等の対応策も早期に可能となる。
【００４１】
本発明における貯留部３０２を遮水材の継手部に構成するためには継手の接続に使用される遮水剤が少量であっても、確実に遮水性を保持する必要がある。そこで、より確実に遮水性を保持するために遮水パネルの側端部付近の形状を改良した実施例を次に示す。
【００４２】
図６は、本発明の第二実施例に係る遮水性を管理する遮水壁の遮水管理方法を示す、（ａ）ストッパー付雄継手使用時における雄雌係合空洞部の拡大図、（ｂ）角形雌継手使用時における雄雌係合空洞部の拡大図、（ｃ）ストッパー付雄継手および角形雌継手使用時における雄雌係合空洞部の拡大図、（ｄ）パイプ・イン・パイプ形式の雌雄継手使用時における雌雄係合空洞部の拡大図である。
【００４３】
下記に示す説明において、第一実施例と同様の技術を用いたものと対応する部分には同一の符号を付して、説明を省略する。
【００４４】
図６（ａ）に示すように、遮水パネル６００が、パネル本体１０２ａと、雄継手１０２ｂと、円形状の雌継手１０２ｃと、雌継手１０２ｃ内への入り込み防止用のストッパー６００ｄと、雌継手１０２ｃからの抜け出し防止用のストッパー６００ｅとを備え、雄継手１０２ｂと雌継手１０２ｃとの組合せからなる雄雌係合空洞部６０１の貯水部６０２を構築する。  
雌継手１０２ｃ内への入り込み防止用のストッパー６００ｄ、および雌継手１０２ｃからの抜け出し防止用のストッパー６００ｅの使用により貯水部６０２の形成が簡単かつ、確実になり、更に、遮水材の量を少量にすることが可能となる。
【００４５】
また、図６（ｂ）に示すように、遮水パネル６１０が、パネル本体１０２ａと、雄継手１０２ｂと、角形状の雌継手６１０ｃとを備え、雄継手１０２ｂと雌継手６１０ｃとの組合せからなる雄雌係合空洞部６１１の貯水部６１２を構築する。
【００４６】
さらに、図６（ｃ）に示すように、遮水パネル６２０が、パネル本体１０２ａと、雄継手１０２ｂと、角形状の雌継手６１０ｃと、雌継手６１０ｃ内への入り込み防止用のストッパー６００ｄと、雌継手６１０ｃからの抜け出し防止用のストッパー６００ｅとを備え、雄継手１０２ｂと雌継手６１０ｃとの組合せからなる雄雌係合空洞部６１１の貯水部６１２を構築する。
【００４７】
そして、図６（ｄ）に示すパイプ・イン・パイプ形式のものは、一方の遮水パネル６３０が、パネル本体１０２と、円形状の雌継手１０２ｃとを備えることは図６（ａ）と同様であるが、他方の遮水パネル６３０の雄継手１０２ｂが円形状となっている。雄継手１０２ｂは、その左右両側部にそれぞれ一対の丸綱６４０が溶接等により固定され、一対の丸綱６４０巻に前記遮水剤３０１が固定されている（膨潤後は、一点鎖線で図示する形態となり、雌雄継手間の遮水性を確保する）。また、雄継手１０２ｂの先端にはスリットＳが形成されている。
【００４８】
上述した遮水パネルを地盤に埋設する方法以外に、遮水性に優れた地中連続壁であるソイルセメント壁内に埋設する方法がある。そこで、遮水パネルをソイルセメント壁内に埋設する場合の実施例を次に示す。
【００４９】
図７は、本発明の第三実施例に係るソイルセメント壁内に埋設する遮水パネルを連結して形成される遮水壁の設置状況を示す、（ａ）遮水剤不使用状態における遮水壁の貯水部の拡大図、（ｂ）遮水剤使用状態における遮水壁の貯水部の拡大図である。
【００５０】
図７（ａ）に示すとおり、まず、遮水パネル１０２を未固結状態のソイルセメント壁７００内に建て込み、遮水パネル１０２の雌継手１０２ｃと遮水パネル１０２と隣接する他の遮水パネル３００の雄継手３００ｂの接続には遮水剤を使用せずに、雌継手１０２ｃと雄継手３００ｂが係合するように遮水パネル３００を建て込む。
【００５１】
そして、遮水パネルを連結して作成された遮水壁をソイルセメント壁７００で挟み込むサンドイッチ構造とし、雄雌係合空洞部１０５を作成するために雄雌係合部内のソイルセメントを除去する。ソイルセメントの除去は、例えばウォータージェット、ブラシ等によって実施される。
【００５２】
遮水パネル１０２の雌継手１０２ｃと遮水パネル３００の雄継手３００ｂが係合されて初めて形成される雄雌係合空洞部１０５は、不透水性のソイルセメント壁７００により挟み込まれ遮水性能が保持されているために遮水剤を使用せずとも液体を貯留可能な貯留部７０１を備えた遮水壁が構築される。
【００５３】
さらに、地震等によりソイルセメント壁の損傷が懸念される場合においては、図７（ｂ）に示すとおり、第一実施例と同様に、雌継手１０２ｃのスリットＳ周辺と雄継手３００ｂとの間のみに水膨潤性および所定の硬化遅延性を有する接着剤等の遮水剤３０１を塗布、または充填することによってのみ形成される雄雌係合空洞部１０５の漏水経路をすべて遮断しつつ、雄雌係合空洞部１０５内に雄継手３００ｂの背面側に形成される空洞部が貯留部となる。
【００５４】
遮水壁をソイルセメント壁７００内に埋設し、かつ遮水剤３０１を使用する場合の遮水壁の建て込み方法を下記に２種類示す。
【００５５】
第一の方法は、まず、遮水パネル１０２をソイルセメント壁７００中に建て込み、遮水パネル１０２の雌継手１０２ｃ内のソイルセメントを除去する。  
そして、雌継手１０２ｃのスリットＳ周辺と雄継手３００ｂとの間のみに遮水剤３０１を塗布して、隣接する他の遮水パネル３００を建て込んで初めて雄雌係合空洞部１０５を形成させる。  
したがって、雄雌係合空洞部１０５内の雄継手３００ｂの背面側に形成される空洞部が貯留部７０１を構築する。
【００５６】
第二の方法は、地上にて、遮水パネル１０２の雌継手１０２ｃのスリットＳ周辺と隣接する他の遮水パネル３００の雄継手３００ｂとの間のみに遮水剤３０１を塗布して、遮水パネル１０２と遮水パネル３００を連結して初めて雄雌係合空洞部１０５を形成させる。  
そして、連結した遮水パネルをソイルセメント壁７００中に建て込み、雄雌係合空洞部１０５内のソイルセメントを除去することにより、雄雌係合空洞部１０５が貯留部７０１を構築する。
【００５７】
また、第二実施例で説明した継手形状を有する遮水パネルを使用しても貯留部７０１を構築することが可能である。  
さらに、貯留部７０１は第一実施例と同様にモニタリング用井戸５００として使用が可能である。
【００５８】
このように、不透水性材料からなる板状またはシート状の複数の遮水材からなる遮水壁の継手部の確実な遮水性を確認および確保でき、かつ遮水壁設置後の運用の簡便な遮水壁管理が可能となる。
【図面の簡単な説明】
【００５９】
【図１】本発明の第一実施例に係る廃棄物処分場の保有水を遮水する遮水壁の設置状況を示す図である。
【図２】本発明の第一実施例に係る廃棄物処分場の遮水壁における遮水パネルの設置状況を示す平面図である。
【図３】図２の雄雌係合空洞部の拡大図である。
【図４】本発明の第一実施例に係る雌継手の底部保護部材の一例を示す、（ａ）斜視図、（ｂ）Ａ−Ａ’矢視図である。
【図５】本発明の第一実施例に係る廃棄物処分場の保有水の遮水状況管理システムを示す、（ａ）地盤側システム図、（ｂ）廃棄物処分場側システム図である。
【図６】本発明の第二実施例に係る遮水性を管理する遮水壁の遮水管理方法を示す、（ａ）ストッパー付雄継手使用時における雄雌係合空洞部の拡大図、（ｂ）角形雌継手使用時における雄雌係合空洞部の拡大図、（ｃ）ストッパー付雄継手および角形雌継手使用時における雄雌係合空洞部の拡大図である。
【図７】本発明の第三実施例に係るソイルセメント壁内に埋設する遮水パネルを連結して形成される遮水壁の設置状況を示す、（ａ）遮水剤無使用状態における遮水壁の貯留部の拡大図、（ｂ）遮水剤使用状態における遮水壁の貯留部の拡大図である。
【符号の説明】
【００６０】
１００  廃棄物処分場                      １０１  周囲地盤
１０２  遮水パネル                        １０２ａ  パネル本体
１０２ｂ  雄継手                          １０２ｃ  雌継手
１０３  不透水性地層                      １０４  透水性地層
１０５  雄雌係合空洞部
３００  他の遮水パネル                    ３００ｂ  （他の遮水パネルの）雄継手
３０１  遮水剤                            ３０２  貯留部
４００  底部保護部材                      ５００  モニタリング用井戸
５０１  廃棄物貯層部
５０２ａ  （モニタリング用井戸内）水位計  ５０２ｂ  （廃棄物貯層部内）水位計
５０４  送水ポンプ                        ５０５  流向切替バルブ
５０９、５１２  排水ポンプ                ６００  遮水パネル
６００ｄ、６００ｅ  ストッパー            ６０１、６１１  雄雌係合空洞部
６０２、６１２  貯水部                    ６１０、６２０  遮水パネル
６１０ｃ  角形状の雌継手                  ７００  ソイルセメント壁
７０１  貯留部                              Ｓ    スリット
【図１】
2005193176.tif 000003
【図２】
2005193176.tif 000004
【図３】
2005193176.tif 000005
【図４】
2005193176.tif 000006
【図５】
2005193176.tif 000007
【図６】
2005193176.tif 000008
【図７】
2005193176.tif 000009